(57)【要約】  移動局装置４は、基地局装置２から受信した信号の時間平均的な受信品質を測定する受信品質測定部３２と、基地局装置２から受信した信号の受信品質の経時変化の変動量を測定する変動量測定部３３と、時間平均的な受信品質と変動量を基地局装置２へ送信する送信部３４を備える。
2014181431.tif 000002
【特許請求の範囲】
【請求項１】
基地局装置から受信した信号の時間平均的な受信品質を測定する受信品質測定部と、
前記基地局装置から受信した信号の受信品質の経時変化の変動量を測定する変動量測定部と、
前記時間平均的な受信品質と前記変動量を前記基地局装置へ送信する送信部と、
を備えることを特徴とする移動局装置。
【請求項２】
前記受信品質測定部は、ある平均化区間における時間平均的な受信品質を測定し、
前記変動量測定部は、前記平均化区間における受信品質の変動量を測定することを特徴とする請求項１に記載の移動局装置。
【請求項３】
前記受信品質測定部による受信品質の平均化期間の長さの情報を基地局装置から受信する受信部を備えることを特徴とする請求項１又は２に記載の移動局装置。
【請求項４】
前記変動量測定部は、受信品質の最大値と最小値の差に応じて前記変動量を決定することを特徴とする請求項１〜３のいずれか一項に記載の移動局装置。
【請求項５】
前記変動量測定部は、受信品質の最大値と前記時間平均的な受信品質の差を前記変動量として決定することを特徴とする請求項１〜３のいずれか一項に記載の移動局装置。
【請求項６】
前記変動量測定部は、前記移動局装置が受信する下りリンク信号の伝送に同時に使用される複数の無線リソース毎に前記変動量を測定することを特徴とする請求項１〜５のいずれか一項に記載の移動局装置。
【請求項７】
前記変動量の測定条件に関する情報を前記基地局装置に送信する送信部を備えることを特徴とする請求項１〜６のいずれか一項に記載の移動局装置。
【請求項８】
前記測定条件の種類を指定する情報を受信する受信部を備えることを特徴する請求項７に記載の移動局装置。
【請求項９】
前記基地局装置以外の第２基地局装置から下りリンク信号が送信されない第１無線リソースと、前記第２基地局装置から下りリンク信号が送信される第２無線リソースとを指定する信号を受信する受信部を備え、
前記変動量測定部は、前記第１無線リソースにおいて前記変動量を測定し、前記第２無線リソースにおいて前記変動量を測定しないことを特徴とする請求項１〜８のいずれか一項に記載の移動局装置。
【請求項１０】
移動局装置が受信した信号の時間平均的な受信品質、及び前記移動局装置が受信した信号の受信品質の経時変化の変動量を、前記移動局装置から受信する受信部と、
前記変動量に応じて前記時間平均的な受信信号を補正する補正部と、
を備えることを特徴とする基地局装置。
【請求項１１】
前記時間平均的な受信品質の平均化期間の長さの指定情報を前記移動局装置へ送信する送信部を備えることを特徴とする請求項１０に記載の基地局装置。
【請求項１２】
前記変動量の測定条件に関する情報を前記移動局装置から受信する受信部を備えることを特徴とする請求項１０又は１１に記載の基地局装置。
【請求項１３】
前記測定条件の種類を指定する情報を前記移動局装置へ送信する送信部を備えることを特徴する請求項１２に記載の基地局装置。
【請求項１４】
前記変動量に応じて補正された前記時間平均的な受信信号に基づいて、前記移動局装置へ送信する信号の変調方式及び符号化方法を決定することを特徴とする決定部を備えることを特徴とする請求項１０〜１３のいずれか一項に記載の基地局装置。
【請求項１５】
前記変動量に応じて補正された前記時間平均的な受信品質と、前記変動量に応じて補正されない前記時間平均的な受信品質とのいずれか一方を、前記測定条件に関する情報に応じて選択し、選択された前記一方に基づいて前記移動局装置へ送信する信号の変調方式及び符号化方法を決定することを特徴とする決定部を備えることを特徴とする請求項１２又は１３に記載の基地局装置。
【請求項１６】
基地局装置から受信した信号の時間平均的な受信品質を移動局装置で測定し、
前記基地局装置から受信した信号の受信品質の経時変化の変動量を前記移動局装置で測定し、
前記時間平均的な受信品質と前記変動量を前記移動局装置から前記基地局装置へ送信する、
ことを特徴とする通信方法。
【発明の詳細な説明】
【技術分野】
【０００１】
本明細書で論じられる実施態様は、移動局装置、基地局装置及び通信方法に関する。
【背景技術】
【０００２】
移動体通信システムにおいて、下りリンクのＭＣＳ（Modulation and Coding Scheme）を決定するために、下りリンクの受信品質を移動局装置から基地局装置へ通知することが知られている。例えば、３ＧＰＰ（Third Generation Partnership Project）が規格するＬＴＥ（Long Term Evolution）に従う移動局装置は、無線チャネルの品質を表すＣＱＩ（Channel Quality Indicator）を受信品質として算出して基地局装置へ送信する。【０００３】
移動局装置は、下りリンクの受信ＳＩＮＲ（Signal-to-Interference and Noise power Ratio）を測定し、受信ＳＩＮＲの測定結果に基づいてＣＱＩを算出する。移動局装置は、ＣＱＩに対応する送信フォーマットのデータ信号を受信した際にＢＬＥＲ（BLock Error Rate）が１０％になるようにＣＱＩを決定する。【０００４】
図１は、ＣＱＩテーブルの一例を示す図である。ＣＱＩテーブルは、変調方式と、符号化率と、１変調シンボルで伝送される情報ビット数（Ｅｆｆｉｃｉｅｎｃｙ）を、１６種類のＣＱＩに対応付ける。【０００５】
関連技術として、移動局装置から基地局装置へ送信される様々なチャネル品質情報（ＣＳＩ: Channel State Information）が知られている（例えば、非特許文献１参照）。
【先行技術文献】
【非特許文献】
【０００６】
【非特許文献１】Discussion on Further DL MIMO enhancement in Rel.12, 3GPP TSG RAN WG1 #72, R1-130099, 2013年1月
【発明の概要】
【発明が解決しようとする課題】
【０００７】
下りリンクの受信品質が経時変化することがある。例えば、セル間干渉が動的に変化すると受信品質が経時変化する。セル間干渉は、例えば、周辺セルにおけるセル間欠送信及び動的スケジューリングの実施や、セル間干渉制御の実施等によって動的に変動する。【０００８】
時間平均的な受信品質が基地局装置に報告されると、受信品質の実際の瞬時値と異なる時間平均的な受信品質に応じてＭＣＳが選択される。例えば、一時的に受信品質が良くより高い伝送レートのＭＣＳが使用できる期間にも、報告されたチャネル品質に応じたＭＣＳが使用される。【０００９】
本明細書に開示される装置又は方法は、下りリンクの受信品質の測定結果とその時間平均値が異なる場合に、時間平均値と一時的に異なる値の受信品質の測定結果を基地局装置へ通知することを目的とする。
【課題を解決するための手段】
【００１０】
装置の一観点によれば、基地局装置から受信した信号の時間平均的な受信品質を測定する受信品質測定部と、基地局装置から受信した信号の受信品質の経時変化の変動量を測定する変動量測定部と、時間平均的な受信品質と変動量を基地局装置へ送信する送信部を備える移動局装置が与えられる。【００１１】
他の装置の一観点によれば、移動局装置が受信した信号の時間平均的な受信品質、及び移動局装置が受信した信号の受信品質の経時変化の変動量を、移動局装置から受信する受信部と、変動量に応じて時間平均的な受信信号を補正する補正部を備える基地局装置が与えられる。
【発明の効果】
【００１２】
本明細書に開示される装置又は方法によれば、下りリンクの受信品質の測定結果とその時間平均値が異なる場合に、時間平均値と一時的に異なる値の受信品質の測定結果を基地局装置へ通知することが可能となる。【００１３】
本発明の目的及び利点は、特許請求の範囲に示した要素及びその組合せを用いて具現化され達成される。前述の一般的な記述及び以下の詳細な記述の両方は、単なる例示及び説明であり、特許請求の範囲のように本発明を限定するものでないと解するべきである。
【図面の簡単な説明】
【００１４】
【図１】ＣＱＩテーブルの一例を示す図である。
【図２】通信システムの構成例の説明図である。
【図３】（Ａ）及び（Ｂ）はＣＱＩ変動量の算出方法の第１例及び第２例の説明図である。
【図４】基地局装置の機能構成の一例の説明図である。
【図５】ＴＢＳ（Transport Block Size）テーブルの一例を示す図である。
【図６】ＭＣＳテーブルの一例を示す図である。
【図７】移動局装置の機能構成の第１例の説明図である。
【図８】通信システムの動作の一例の説明のためのシーケンス図である。
【図９】移動局装置の機能構成の第２例の説明図である。
【図１０】基地局装置の一例のハードウエア構成図である。
【図１１】移動局装置の一例のハードウエア構成図である。
【発明を実施するための形態】
【００１５】
＜１．第１実施例＞
以下、添付される図面を参照して、好ましい実施例について説明する。図２は、通信システムの構成例の説明図である。通信システム１は、基地局装置２及び３と、移動局装置４を備える。以下の説明及び添付図面において、基地局装置及び移動局装置をそれぞれ「基地局」及び「移動局」と表記することがある。
【００１６】
基地局２及び３は、移動局４との間で無線通信が可能な無線通信圏を形成し、無線通信圏内の移動局４との間で所定の無線通信規格に従って通信する。無線通信規格の例は、３ＧＰＰが規格するＬＴＥ等であってよい。基地局２は、移動局４が接続するサービング基地局であり、基地局３は、移動局４が接続していない周辺基地局である。
【００１７】
以下の説明では、通信システム１がＬＴＥに準拠するシステムである場合の例示を使用する。但し、この例示は、本明細書に記載される通信システムが、ＬＴＥに準拠する通信システムのみに限定して適用されることを意図するものではない。本明細書記載の通信システムは、移動局が、下りリンクの受信品質を測定し、測定された受信品質を基地局に通知するシステムに広く適用可能である。好適には、通知された受信品質に基づいて基地局が下りリンクのＭＣＳを決定するシステムに広く適用可能である。
【００１８】
ネットワーク５は、基地局２及び３とＩＰ（Internet Protocol）サービスネットワークとの間を接続する固定通信網である。インタフェース６は、基地局２と基地局３との間の基地局間インタフェースである。例えば、ネットワーク５は、ＬＴＥにおいて定められたＥＰＣ（Evolved Packet Core）であってよい。インタフェース６は、Ｘ２インタフェースであってよい。
【００１９】
基地局２は、基地局２のリソース指示情報を基地局３へ送信する。基地局２のリソース指示情報は、基地局２による下りリンク送信の有無を無線リソース毎に指示する情報である。基地局２は、基地局３のリソース指示情報を基地局３から受信する。基地局３のリソース指示情報は、基地局３による下りリンク送信の有無を無線リソース毎に指示する情報である。リソース指示情報はネットワーク５及びインタフェース６のいずれかによって送信されてよい。なお、リソース指示情報は、下りリンク送信の強弱を無線リソース毎に指示する情報であってもよい。
【００２０】
基地局３のリソース指示情報には、基地局３から送信される下りリンク信号により基地局２において干渉が生じる恐れがある無線リソースを指示される。リソース指示情報は、例えば干渉制御信号であってよい。干渉制御信号は、例えばＡＢＳ（Almost Blank Subframe）パターン情報やＲＮＴＰ（Relative Narrowband Tx Power）情報であってよい。
【００２１】
移動局４は、品質測定用参照信号であるＣＳＩ−ＲＳ（Channel-State Information - Reference Signal）が送信される無線リソース上で受信ＳＩＮＲを算出し、所定の平均化期間Ｔ０における受信ＳＩＮＲの時間平均値に基づいてＣＱＩを決定する。受信ＳＩＮＲの時間平均値に基づいて決定されたＣＱＩを「時間平均的ＣＱＩ」と表記することがある。基地局２は、予め平均化期間Ｔ０を移動局４へ通知してよい。
【００２２】
移動局４は、所定期間Ｔ１における受信ＳＩＮＲの変化幅に応じて所定期間Ｔ１におけるＣＱＩ変動量を算出する。図３の（Ａ）はＣＱＩ変動量の算出方法の第１例の説明図である。図３の（Ａ）の実線は受信ＳＩＮＲの瞬時値を示し、点線は平均化期間Ｔ０における受信ＳＩＮＲの時間平均値を示し、一点鎖線は所定期間Ｔ１における受信ＳＩＮＲの最大値を示す。移動局４は、所定期間Ｔ１における受信ＳＩＮＲの最大値に対応するＣＱＩ値と、時間平均的ＣＱＩの差分をＣＱＩ変動量として算出してよい。すなわち、ＣＱＩ変動量は、所定期間Ｔ１における時間平均的ＣＱＩ以上のＣＱＩの瞬時値の変動幅であってよい。所定期間Ｔ１の長さは平均化期間Ｔ０の長さは同じであってもよく異なっていてもよい。所定期間Ｔ１の開始時刻及び終了時刻は平均化期間Ｔ０の開始時刻及び終了時刻と同じであってもよい。以下の説明において受信ＳＩＮＲの最大値に対応するＣＱＩ値を「ＣＱＩの最大値」と表記することがある。
【００２３】
図３の（Ｂ）はＣＱＩ変動量の算出方法の第２例の説明図である。図３の（Ｂ）の実線は受信ＳＩＮＲの瞬時値を示し、一点鎖線は所定期間Ｔ１における受信ＳＩＮＲの最大値を示し、二点鎖線は所定期間Ｔ１における受信ＳＩＮＲの最小値を示す。移動局４は、所定期間Ｔ１における受信ＳＩＮＲの最大値に対応するＣＱＩ値と所定期間Ｔ１における受信ＳＩＮＲの最小値に対応するＣＱＩ値との差分の半分の値をＣＱＩ変動量として算出してよい。すなわち、ＣＱＩ変動量は、所定期間Ｔ１におけるＣＱＩの瞬時値の変動幅の半分の値であってよい。
【００２４】
移動局４は、算出した時間平均的ＣＱＩ及びＣＱＩ変動量を基地局２へ送信する。例えば移動局４は、時間平均的ＣＱＩにＣＱＩ変動量を付随させて送信してもよく、これらを個別に送信してもよい。時間平均的ＣＱＩの送信頻度とＣＱＩ変動量の送信頻度が異なっていてもよい。例えば、所定期間Ｔ１が平均化期間Ｔ０よりも短く、ＣＱＩ変動量の送信頻度が時間平均的ＣＱＩの送信頻度よりも高くてもよい。
【００２５】
基地局２は、基地局３のリソース指示情報に基づいて、基地局３からの干渉が低減された下りリンクの無線リソースを特定する。例えば基地局２は、基地局３が下りリンク信号の送信を抑制している無線リソースを、基地局３からの干渉が低減された無線リソースとして特定する。送信の抑制の例は、例えば、送信停止や送信出力の低減であってよい。
【００２６】
基地局２は、基地局３からの干渉が低減された無線リソースにおけるＣＱＩとして、時間平均的ＣＱＩをＣＱＩ変動量で補正した値を使用する。例えば、基地局２は、ＣＱＩ変動量を加えることにより時間平均的ＣＱＩを補正する。なお、移動局４は、所定期間Ｔ１における受信ＳＩＮＲの最大値に対応するＣＱＩ値と最小値に対応するＣＱＩ値との差分をＣＱＩ変動量として通知してもよい。この場合、基地局２は、通知されたＣＱＩ変動量の半分の値を加えることにより時間平均的ＣＱＩを補正してもよい。
【００２７】
基地局２は、干渉が低減された無線リソースで送信されるＰＤＳＣＨ（Physical Downlink Shared CHannel）を、補正された時間平均的ＣＱＩに基づいて決定されたＭＣＳで送信する。以下の説明において、ＣＱＩ変動量で補正された時間平均的ＣＱＩを「補正ＣＱＩ」と表記することがある。
【００２８】
基地局２は、基地局３からの干渉が低減されない無線リソースにおけるＣＱＩとして、ＣＱＩ変動量で補正されない時間平均的ＣＱＩを使用する。基地局２は、干渉が低減された無線リソースで送信されないＰＤＳＣＨを、ＣＱＩ変動量で補正されない時間平均的ＣＱＩに基づいて決定されたＭＣＳで送信する。
【００２９】
図４は、基地局２の機能構成の一例の説明図である。基地局３は基地局２と同様の構成を有していてよい。基地局２は、ＣＳＩ−ＲＳ生成部１０と、多重部１１と、ＩＦＦＴ（Inverse Fast Fourier Transform）部１２と、送信部１３と、受信部１４と、ＦＦＴ（Fast Fourier Transform）部１５を備える。基地局２は、上り制御信号復号部１６と、ＣＱＩ補正部１７と、通信部１８と、スケジューラ１９と、ＰＤＳＣＨ生成部２０と、ＰＤＣＣＨ（Physical Downlink Control CHannel）生成部２１を備える。
【００３０】
ＣＳＩ−ＲＳ生成部１０は、ＣＳＩ−ＲＳを生成し多重部１１に出力する。多重部１１は、ＣＳＩ−ＲＳ生成部１０から出力されるＣＳＩ−ＲＳ信号、ＰＤＳＣＨ生成部２０から出力されるＰＤＳＣＨ信号、ＰＤＣＣＨ生成部２１から出力されるＰＤＣＣＨ信号を多重し、下り多重信号を生成する。
【００３１】
ＩＦＦＴ部１２は、下り多重信号を時間領域信号に変換する。送信部１３は、時間領域信号を無線周波数信号に変換して移動局４へ送信する。
【００３２】
受信部１４は、移動局４から送信された無線周波数信号を受信し、デジタルベースバンド信号に変換する。ＦＦＴ部１５は、受信ベースバンド信号を周波数領域信号へ変換し、上り制御信号復号部１６へ出力する。
【００３３】
上り制御信号復号部１６は、移動局４から送信された上り制御信号を復号し、移動局４から送信された時間平均的ＣＱＩ及びＣＱＩ変動量を取得する。上り制御信号復号部１６は、時間平均的ＣＱＩをＣＱＩ補正部１７及びスケジューラ１９へ出力する。上り制御信号復号部１６は、ＣＱＩ変動量をＣＱＩ補正部１７へ出力する。ＣＱＩ補正部１７は、ＣＱＩ変動量で時間平均的ＣＱＩを補正し、補正ＣＱＩをスケジューラ１９へ出力する。
【００３４】
通信部１８は、基地局３のリソース指示情報を基地局３から受信しスケジューラ１９へ出力する。通信部１８は、基地局２のリソース指示情報をスケジューラ１９から受信し、基地局３へ出力する。
【００３５】
スケジューラ１９は、下りユーザデータをＰＤＳＣＨ生成部２０に出力する。スケジューラ１９は、基地局３のリソース指示情報に基づいて、基地局３からの干渉が低減された下りリンクの無線リソースを特定する。スケジューラ１９は、補正ＣＱＩに基づいて、干渉が低減された無線リソースでＰＤＳＣＨを送信するためのＭＣＳを決定する。
【００３６】
例えば、スケジューラ１９は、以下の方法により補正ＣＱＩに基づいてＭＣＳを決定する。スケジューラ１９は、図１の例示と同様のＣＱＩテーブルを参照して、補正ＣＱＩから変調方式と１変調シンボルで伝送される情報ビット数を得る。なお、６４ＱＡＭ（Quadrature Amplitude Modulation）より高次の変調方式の行を含むように、図１のＣＱＩテーブルを拡張してもよい。例えば、ＣＱＩテーブルは、１２８ＱＡＭの行を含むように修正されてもよい。
【００３７】
スケジューラ１９は、データ信号の送信に用いる周波数リソースとしてのリソースブロック（ＲＢ）を決定する。スケジューラ１９により、データ伝送の時間単位であるサブフレーム内で伝送される情報ビット数ＴＢＳの暫定値を、ＲＢ数と情報ビット数を用いて算出する。
【００３８】
スケジューラ１９は、当該ＲＢ数とＴＢＳの暫定値に基づいて最終的なＴＢＳを決定する。図５は、ＴＢＳテーブルの一例を示す図である。ＴＢＳテーブルは、１〜１１０の各ＲＢ数ＮPRBに対するＴＢＳの候補を定義する。スケジューラ１９は、ＴＢＳテーブルを参照して、当該ＲＢ数の中でＴＢＳの暫定値に最も近い値が最終的なＴＢＳに決定し、最終的なＴＢＳに対応するＴＢＳインデックスＩTBSを決定する。
【００３９】
スケジューラ１９は、変調方式の変調多値数とＴＢＳインデックスＩTBSに基づいてＭＣＳを決定する。図６は、ＭＣＳテーブルの一例を示す図である。ＭＣＳテーブルは、変調方式の変調多値数ＱmとＴＢＳインデックスＩTBSの組み合わせと、２９種類のＭＣＳを対応付ける。スケジューラ１９は、ＭＣＳテーブルを参照して変調方式の変調多値数ＱmとＴＢＳインデックスＩTBSに対応する５ビットのＭＣＳインデックスＩMCSを決定する。
【００４０】
一方で、スケジューラ１９は、補正されない時間平均的ＣＱＩに基づいて、干渉が低減されない無線リソースでＰＤＳＣＨを送信するためのＭＣＳを決定する。スケジューラ１９は、決定したＭＣＳインデックスＩMCSをＭＣＳとしてＰＤＳＣＨ生成部２０及びＰＤＣＣＨ生成部２１へ出力する。スケジューラ１９は、下りユーザデータの送信に割り当てられた無線リソースを指示するリソース割当情報をＰＤＣＣＨ生成部２１へ出力する。
【００４１】
ＰＤＳＣＨ生成部２０は、スケジューラ１９が決定したＭＣＳに対応する符号化率と変調方式でユーザデータを符号化及び変調することによりＰＤＳＣＨ信号を生成する。ＰＤＳＣＨ生成部２０は、平均化期間Ｔ０を指定する制御情報を含むＰＤＳＣＨ信号を生成してもよい。多重部１１、ＩＦＦＴ部１２及び送信部１３はこのＰＤＳＣＨ信号を移動局４へ送信する。
【００４２】
ＰＤＣＣＨ生成部２１は、リソース割当情報と、スケジューラ１９が決定したＭＣＳの情報を含むＰＤＣＣＨ信号を生成する。ＰＤＣＣＨ生成部２１は、ＰＤＣＣＨ信号を多重部１１へ出力する。
【００４３】
図７は、移動局４の機能構成の第１例の説明図である。移動局４は、受信部３０と、ＩＦＦＴ部３１と、ＣＳＩ算出部３２と、ＣＱＩ変動量算出部３３と、上り制御信号生成部３４と、ＩＦＦＴ部３５と、送信部３６を備える。移動局４は、ＰＤＣＣＨ復号部３７と、ＰＤＳＣＨ復号部３８を備える。
【００４４】
受信部３０は、基地局２から送信された無線周波数信号を受信し、デジタルベースバンド信号に変換する。ＩＦＦＴ部３１は、受信ベースバンド信号を周波数領域信号へ変換して、ＣＳＩ算出部３２、ＰＤＣＣＨ復号部３７及びＰＤＳＣＨ復号部３８へ出力する。
【００４５】
ＣＳＩ算出部３２は、ＣＳＩ−ＲＳ（Channel-State Information - Reference Signal）が送信される無線リソース上で受信ＳＩＮＲを算出する。ＣＳＩ算出部３２は、所定の平均化期間Ｔ０における受信ＳＩＮＲの時間平均値に基づいて、ＣＱＩに対応する送信フォーマットのデータを受信した場合にＢＬＥＲが１０％になるように時間平均的ＣＱＩを決定する。ＣＳＩ算出部３２は、基地局２から送信されＰＤＳＣＨ復号部３８により復号された制御信号から平均化期間Ｔ０を取得してもよい。
【００４６】
移動局４が受信する下りリンク信号の伝送に同時に使用される複数の無線リソースが存在する場合、ＣＳＩ算出部３２は無線リソース毎に時間平均的ＣＱＩを決定してよい。移動局４が受信する下りリンク信号の伝送に同時に使用される複数の無線リソースの例は、ＭＩＭＯ（Multiple Input Multiple Output）伝送において空間多重される複数の無線リソースであってよい。移動局４が受信する下りリンク信号の伝送に同時に使用される複数の無線リソースの例は、ＣＡ（Carrier Aggregation）により移動局４への下りリンク信号の伝送に同時に使用される複数のＣＣ（Component Carrier）であってよい。
【００４７】
ＣＳＩ算出部３２は、時間平均的ＣＱＩを、ＣＱＩ変動量算出部３３及び上り制御信号生成部３４へ出力する。ＣＳＩ算出部３２は、受信ＳＩＮＲをＣＱＩ変動量算出部３３へ出力する。ＣＱＩ変動量算出部３３はＣＱＩ変動量を算出する。移動局４が受信する下りリンク信号の伝送に同時に使用される複数の無線リソースが存在する場合、ＣＱＩ変動量算出部３３は無線リソース毎にＣＱＩ変動量を決定してよい。ＣＱＩ変動量算出部３３はＣＱＩ変動量を上り制御信号生成部３４へ出力する。
【００４８】
上り制御信号生成部３４は、時間平均的ＣＱＩ及びＣＱＩ変動量を含んだ上り制御信号を生成し、ＩＦＦＴ部３５へ出力する。ＩＦＦＴ部３５は、上り制御信号を時間領域信号に変換する。送信部３６は、時間領域信号を無線周波数信号に変換して基地局２へ送信する。
【００４９】
ＰＤＣＣＨ復号部３７は、ＰＤＣＣＨ信号により通知されるリソース割当情報とＭＣＳの情報を復号する。基地局３からの干渉が低減された無線リソースで移動局４のＰＤＳＣＨ信号が送信される場合、移動局４から送信された時間平均的ＣＱＩ及びＣＱＩ変動量から求めた補正ＣＱＩに基づいてＭＣＳが定められている。基地局３からの干渉が低減されない無線リソースで移動局４のＰＤＳＣＨ信号が送信される場合、移動局４から送信された時間平均的ＣＱＩに基づいてＭＣＳが定められている。
【００５０】
ＰＤＣＣＨ復号部３７は、リソース割当情報とＭＣＳをＰＤＳＣＨ復号部３８に出力する。ＰＤＳＣＨ復号部３８は、リソース割当情報とＭＣＳに基づいてユーザデータを復号する。
【００５１】
図８は、通信システム１の動作の一例の説明のためのシーケンス図である。オペレーションＡＡにおいて基地局２及び３は、ＣＳＩ−ＲＳを送信する。オペレーションＡＡはＣＳＩ−ＲＳ生成部１０、多重部１１、ＩＦＦＴ部１２及び送信部１３の動作に相当する。
【００５２】
オペレーションＡＢにおいて移動局３は、受信ＳＩＮＲを算出する。オペレーションＡＣにおいて移動局３は、時間平均的ＣＱＩを算出する。オペレーションＡＢ及びＡＣはＣＳＩ算出部３２の動作に相当する。オペレーションＡＤにおいて移動局３は、ＣＱＩ変動量を算出する。オペレーションＡＤは、ＣＱＩ変動量算出部３３の動作に相当する。
【００５３】
オペレーションＡＥにおいて移動局４は、時間平均的ＣＱＩ及びＣＱＩ変動量を基地局２へ送信する。オペレーションＡＥは上り制御信号生成部３４、ＩＦＦＴ部３５及び送信部３６の動作に相当する。
【００５４】
オペレーションＡＦにおいて基地局２は、基地局２のリソース指示情報を基地局３へ送信する。基地局２は、基地局３のリソース指示情報を基地局３から受信する。オペレーションＡＦは通信部１８の動作に相当する。オペレーションＡＧにおいて基地局２は、ＣＱＩ変動量で時間平均的ＣＱＩを補正する。オペレーションＡＧはＣＱＩ補正部１７の動作に相当する。
【００５５】
オペレーションＡＨにおいて基地局２は、移動局４へ下りユーザデータ送信するための無線リソースの割り当てやＭＣＳ決定などのスケジューリング処理を行う。基地局２は、補正ＣＱＩに基づいて、干渉が低減された無線リソースでＰＤＳＣＨを送信するためのＭＣＳを決定する。基地局２は、時間平均的ＣＱＩに基づいて干渉が低減されない無線リソースでＰＤＳＣＨを送信するためのＭＣＳを決定する。オペレーションＡＨはスケジューラ１９の動作に相当する。
【００５６】
オペレーションＡＩにおいて基地局２は、ＰＤＣＣＨ信号及びＰＤＳＣＨ信号を移動局４へ送信する。オペレーションＡＩはＰＤＣＣＨ生成部２１、ＰＤＳＣＨ生成部２０、多重部１１、ＩＦＦＴ部１２及び送信部１３の動作に相当する。オペレーションＡＪにおいて移動局４は、ＰＤＣＣＨ及びＰＤＳＣＨを復号する。オペレーションＡＪはＰＤＣＣＨ復号部３７及びＰＤＳＣＨ復号部３８の動作に相当する。
【００５７】
本実施例によれば、下りリンクの受信品質が経時変化する通信環境において、下りリンクの受信品質の測定結果とその時間平均値が異なる場合に、時間平均値と一時的に異なる値の受信品質の測定結果を基地局装置へ通知することが可能となる。このため、例えば、受信品質が一時的に良い期間において、時間平均的な受信品質に応じて選択されたＭＣＳよりも高い伝送レートのＭＣＳを適用することができる。このため、比較的高い伝送レートのＭＣＳを適用する頻度を高めることができるためスループット特性が向上する。
【００５８】
＜２．変形例＞
移動局４は、所定期間Ｔ１における受信ＳＩＮＲの最小値に対応するＣＱＩ値と、時間平均的ＣＱＩの差分をＣＱＩ変動量として算出してよい。所定期間Ｔ１における受信ＳＩＮＲの最大値に対応するＣＱＩ値と最小値に対応するＣＱＩ値との差分の半分の値をＣＱＩ変動量として通知してもよい。基地局２は、時間平均的ＣＱＩをＣＱＩ変動量で減じて時間平均的ＣＱＩを補正してもよい。基地局２は、基地局３のリソース指示情報に基づいて基地局３からの干渉がある下りリンクの無線リソースを特定し、この無線リソースのＣＱＩとして、時間平均的ＣＱＩからＣＱＩ変動量を減じた値を使用してもよい。
【００５９】
＜３．第２実施例＞
図９は、移動局４の機能構成の第２例の説明図である。図７に示す構成要素と同様の構成要素には図７で使用した参照符号と同じ参照符号を付する。移動局４は、ＣＱＩ変動量の測定条件に関する情報である補足情報を生成する補足情報生成部３９を備える。補足情報生成部３９は、補足情報を上り制御信号生成部３４に出力する。
【００６０】
上り制御信号生成部３４は、補足情報を含んだ上り制御信号を生成する。例えば、上り制御信号生成部３４は、補足情報が時間平均的ＣＱＩ及び／又はＣＱＩ変動量に付随した上り制御信号を生成してよい。
【００６１】
補足情報は、例えばＣＱＩの最大値が発生した時刻の情報であってよい。例えば、補足情報は、ＣＱＩ変動量の測定期間の満了時刻とこの測定期間中にＣＱＩの最大値が最後に発生した時刻との時間差を、ＣＱＩの最大値が発生した時刻の情報として指定してよい。
【００６２】
例えば、ＣＱＩの最大値が発生した時刻と基地局３からの干渉が低減された時刻とが一致する場合には、基地局３からの干渉の低減により向上したＣＱＩの値が、ＣＱＩの最大値であると推定することができる。また、ＣＱＩ変動量の測定期間の満了時刻とこの測定期間にＣＱＩの最大値が最後に発生した時刻との時間差が小さい場合には、ＣＱＩ変動量の信頼度が高いと判断することができる。
【００６３】
補足情報は、例えばＣＱＩ変動量の測定期間に占めるＣＱＩの最大値の発生期間の比率の情報であってよい。この比率が高い場合には、ＣＱＩ変動量の信頼度が高いと判断することができる。
【００６４】
基地局２の上り制御信号復号部１６は、補足情報をスケジューラ１９に出力する。基地局２は、補足情報とに応じてリソース指示情報に基づいて時間平均的ＣＱＩ及び補正ＣＱＩのいずれか一方を選択して、選択したＣＱＩに基づいてＭＣＳを決定する。
【００６５】
例えば、スケジューラ１９は、ＣＱＩの最大値が発生した時刻を補足情報に基づいて特定し、干渉が低減された時刻をリソース指示情報に基づいて決定する。ＣＱＩの最大値が発生した時刻と干渉が低減された時刻とが一致する場合には、スケジューラ１９は、補正ＣＱＩに基づいてＭＣＳを決定する。ＣＱＩの最大値が発生した時刻と干渉が低減された時刻とが一致しない場合には、スケジューラ１９は、時間平均的ＣＱＩに基づいてＭＣＳを決定する。
【００６６】
例えば、スケジューラ１９は、ＣＱＩ変動量の測定期間の満了時刻とこの測定期間にＣＱＩの最大値が最後に発生した時刻との時間差が閾値より短い場合には、補正ＣＱＩに基づいてＭＣＳを決定する。時間差が閾値より長い場合には、時間平均的ＣＱＩに基づいてＭＣＳを決定する。
【００６７】
例えば、スケジューラ１９は、例えばＣＱＩ変動量の測定期間に占めるＣＱＩの最大値の発生期間の比率を補足情報に基づいて特定する。比率が閾値より大きい場合には、補正ＣＱＩに基づいてＭＣＳを決定する。比率が閾値より小さい場合には、時間平均的ＣＱＩに基づいてＭＣＳを決定する。
【００６８】
本実施例によれば、ＣＱＩ変動量が測定された条件に応じて、ＣＱＩの変動が基地局３からの干渉の低減によって生じたのか他の要因によって生じたのかを推定することができる。すなわち、補正ＣＱＩが、基地局３からの干渉の低減によって向上したＣＱＩであるか否かを推定することができる。
【００６９】
なお、補足情報として送信されるＣＱＩ変動量の測定条件の種類を基地局２が指定してもよい。基地局２のＰＤＳＣＨは、測定条件の種類の指定情報を含むＰＤＳＣＨ信号を生成してもよい。多重部１１、ＩＦＦＴ部１２及び送信部１３はこのＰＤＳＣＨ信号を移動局４へ送信する。移動局４の補足情報生成部３９は、ＰＤＳＣＨ復号部３８により復号された指定情報によって指定された種類の測定条件に関する補足情報を生成する。
【００７０】
＜４．第３実施例＞
基地局２は、基地局３のリソース指示情報を移動局４へ送信してよい。例えば、ＰＤＳＣＨ生成部２０はリソース指示情報を含んだＰＤＳＣＨ信号を生成する。多重部１１、ＩＦＦＴ部１２及び送信部１３はこのＰＤＳＣＨ信号を移動局４へ送信する。
【００７１】
移動局４のＣＱＩ変動量算出部３３は、リソース指示情報に基づいて基地局３からの干渉が低減された無線リソースを特定する。ＣＱＩ変動量算出部３３は、基地局３からの干渉が低減された無線リソースにおけるＣＱＩ変動量を測定し、他の無線リソースにおけるＣＱＩ変動量を測定しない。
【００７２】
移動局４へ送信されるリソース指示情報は、３ＧＰＰで定められた「ＣＳＩ ｓｕｂｆｒａｍｅ  ｓｕｂｓｅｔ」であってよい。ＣＳＩ ｓｕｂｆｒａｍｅ  ｓｕｂｓｅｔは、ＡＢＳ期間とｎｏｎ−ＡＢＳ期間を示す。ＣＱＩ変動量算出部３３は、ＡＢＳ期間においてＣＱＩ変動量を測定し、ｎｏｎ−ＡＢＳ期間においてＣＱＩ変動量を測定しない。
【００７３】
移動局４へ送信されるリソース指示情報は、例えばＡＢＳパターン情報やＲＮＴＰ情報等の干渉制御信号であってもよい。
【００７４】
リソース指示情報に応じてＣＱＩ変動量を測定する期間を制限することによって、移動局４の処理負荷及び消費電力が低減される。
【００７５】
以上の説明において、図４、図７及び図９の機能構成図は、本明細書において説明される機能に関係する構成を中心に示している。基地局２及び３並びに移動局４は、図示の構成要素以外の他の構成要素を含んでいてよい。図８を参照して説明する一連の動作は複数の手順を含む方法と解釈してもよい。この場合に「オペレーション」を「ステップ」と読み替えてもよい。
【００７６】
＜５．ハードウエア構成＞
図１０は、基地局２の一例のハードウエア構成図である。基地局３は基地局２と同様の構成を有していてよい。基地局２は、ＲＦ（無線周波数: Radio Frequency）回路１００と、ＬＳＩ（Large Scale Integration）１０１と、ＤＳＰ（Digital Signal Processor）１０２と、メモリ１０３とＮＩＦ（ネットワークインタフェース: Network InterFace）回路１０４を備える。
【００７７】
ＲＦ回路１００は、デジタル・アナログ変換回路や、アナログ・デジタル変換回路や、周波数変換回路、増幅回路、フィルタ回路などを含んでいてよい。ＬＳＩ１０１は、移動局４と基地局２との間で送受信される信号の符号化及び変調、並びに復調及び復号化、通信プロトコル処理等のベースバンド信号の処理を実施する。ＬＳＩ１０１は、ＦＰＧＡ（Field-Programming Gate Array）、ＡＳＩＣ（Application Specific Integrated Circuit）やＤＳＰ(Digital Signal Processing)等を含んでいてよい。
【００７８】
ＤＳＰ１０２は、メモリ１０３に格納されたプログラムに従って、ＬＳＩ１０１が行う処理以外の情報処理を行う。メモリ１０３は、プログラムやデータを記憶するための、不揮発性メモリや、読み出し専用メモリ（ROM: Read Only Memory）やランダムアクセスメモリ（RAM: Random Access Memory）等を含んでいてよい。ＮＩＦ回路１０４は、物理層およびデータリンク層を使用して有線ネットワークを経由して、上位ノード装置や基地局３と通信するための電子的な回路を備える。
【００７９】
図４の送信部１３及び受信部１４の上記動作は、例えばＲＦ回路１００によって実現されてよい。通信部１８の上記動作は、例えばＮＩＦ回路１０４によって実現されてよい。ＣＳＩ−ＲＳ生成部１０、多重部１１、ＩＦＦＴ部１２、ＦＦＴ部１５、上り制御信号復号部１６、ＰＤＳＣＨ生成部２０及びＰＤＣＣＨ生成部２１の上記動作は、例えばＬＳＩ１０１によって実現されてよい。ＣＱＩ補正部１７及びスケジューラ１９の上記動作は、例えばＤＳＰ１０２によって実現されてよい。
【００８０】
図１１は、移動局４の一例のハードウエア構成図である。移動局４は、ＲＦ回路１１０と、ＣＰＵ（Central Processing Unit）１１１と、メモリ１１２と、表示装置１１３を備える。ＲＦ回路１１０は、デジタル・アナログ変換回路や、アナログ・デジタル変換回路や、周波数変換回路、増幅回路、フィルタ回路などを含んでいてよい。
【００８１】
ＣＰＵ１１１は、メモリ１１２に格納されたプログラムに従って、基地局２と移動局４の間で送受信される信号の符号化及び変調、並びに復調及び復号化、通信プロトコル処理等のベースバンド信号の処理を実施する。メモリ１１２は、プログラムやデータを記憶するための、不揮発性メモリや、読み出し専用メモリやランダムアクセスメモリ等を含んでいてよい。表示装置１１３は、例えばＬＣＤ（Liquid Crystal Display）や有機ＥＬ（Electro-Luminescence）ディスプレイであってよい。
【００８２】
図７の受信部３０及び送信部３６の上記動作は、ＲＦ回路１１０によって実現されてよい。ＩＦＦＴ部３１、ＣＳＩ算出部３２、ＣＱＩ変動量算出部３３、上り制御信号生成部３４、ＩＦＦＴ部３５、ＰＤＣＣＨ復号部３７及びＰＤＳＣＨ復号部３８の上記動作は、例えばＣＰＵ１１１によって実現されてよい。図９の補足情報生成部３９の上記動作は、例えばＣＰＵ１１１によって実現されてよい。
【００８３】
なお、図１０及び図１１に示すハードウエア構成は実施例の説明のための例示にすぎない。上述の動作を実行するものであれば、本明細書に記載される基地局及び移動局は他のどのようなハードウエア構成を採用してもよい。
【００８４】
ここに記載されている全ての例及び条件的な用語は、読者が、本発明と技術の進展のために発明者により与えられる概念とを理解する際の助けとなるように、教育的な目的を意図したものであり、具体的に記載されている上記の例及び条件、並びに本発明の優位性及び劣等性を示すことに関する本明細書における例の構成に限定されることなく解釈されるべきものである。本発明の実施例は詳細に説明されているが、本発明の精神及び範囲から外れることなく、様々な変更、置換及び修正をこれに加えることが可能であると解すべきである。
【符号の説明】
【００８５】
１    通信システム
２、３    基地局
４    移動局
１６    上り制御信号復号部
１７    ＣＱＩ補正部
１８    通信部
１９    スケジューラ
２０    ＰＤＳＣＨ生成部
２１    ＰＤＣＣＨ生成部
３２    ＣＳＩ算出部
３３    ＣＱＩ変動量算出部
３４    上り制御情報生成部
３９    補足情報生成部
【図１】
2014181431.tif 000003
【図２】
2014181431.tif 000004
【図３】
2014181431.tif 000005
【図４】
2014181431.tif 000006
【図５】
2014181431.tif 000007
【図６】
2014181431.tif 000008
【図７】
2014181431.tif 000009
【図８】
2014181431.tif 000010
【図９】
2014181431.tif 000011
【図１０】
2014181431.tif 000012
【図１１】
2014181431.tif 000013
【手続補正書】
【提出日】平成28年11月7日(2016.11.7)
【手続補正１】
【補正対象書類名】特許請求の範囲
【補正対象項目名】全文
【補正方法】変更
【補正の内容】
【特許請求の範囲】
【請求項１】
基地局装置から受信した信号の時間平均的な受信品質を測定する受信品質測定部と、
前記基地局装置から受信した信号についてその受信品質の経時変化における少なくとも最大値によって決定される変動量を測定する変動量測定部と、
前記時間平均的な受信品質と前記変動量を前記基地局装置へ送信する送信部と、
を備えることを特徴とする移動局装置。
【請求項２】
前記受信品質測定部は、ある平均化期間における時間平均的な受信品質を測定し、
前記変動量測定部は、前記平均化期間における受信品質の前記変動量を測定することを特徴とする請求項１に記載の移動局装置。
【請求項３】
前記受信品質測定部による受信品質の前記平均化期間の長さの情報を基地局装置から受信する受信部を備えることを特徴とする請求項１又は２に記載の移動局装置。
【請求項４】
前記変動量測定部は、受信品質の最大値と最小値の差に応じて前記変動量を決定することを特徴とする請求項１〜３のいずれか一項に記載の移動局装置。
【請求項５】
前記変動量測定部は、受信品質の最大値と前記時間平均的な受信品質の差を前記変動量として決定することを特徴とする請求項１〜３のいずれか一項に記載の移動局装置。
【請求項６】
前記変動量測定部は、前記移動局装置が受信する下りリンク信号の伝送に同時に使用される複数の無線リソース毎に前記変動量を測定することを特徴とする請求項１〜５のいずれか一項に記載の移動局装置。
【請求項７】
前記変動量の測定条件に関する情報を前記基地局装置に送信する送信部を備えることを特徴とする請求項１〜６のいずれか一項に記載の移動局装置。
【請求項８】
前記測定条件の種類を指定する情報を受信する受信部を備えることを特徴する請求項７に記載の移動局装置。
【請求項９】
前記基地局装置以外の第２基地局装置から下りリンク信号が送信されない第１無線リソースと、前記第２基地局装置から下りリンク信号が送信される第２無線リソースとを指定する信号を受信する受信部を備え、
前記変動量測定部は、前記第１無線リソースにおいて前記変動量を測定し、前記第２無線リソースにおいて前記変動量を測定しないことを特徴とする請求項１〜８のいずれか一項に記載の移動局装置。
【請求項１０】
移動局装置が受信した信号の時間平均的な受信品質、及び前記移動局装置が受信した信号についてその受信品質の経時変化における少なくとも最大値によって決定される変動量を、前記移動局装置から受信する受信部と、
前記変動量に応じて前記時間平均的な受信品質を補正する補正部と、
を備えることを特徴とする基地局装置。
【請求項１１】
前記時間平均的な受信品質の平均化期間の長さの指定情報を前記移動局装置へ送信する送信部を備えることを特徴とする請求項１０に記載の基地局装置。
【請求項１２】
前記変動量の測定条件に関する情報を前記移動局装置から受信する受信部を備えることを特徴とする請求項１０又は１１に記載の基地局装置。
【請求項１３】
前記測定条件の種類を指定する情報を前記移動局装置へ送信する送信部を備えることを特徴する請求項１２に記載の基地局装置。
【請求項１４】
前記変動量に応じて補正された前記時間平均的な受信品質に基づいて、前記移動局装置へ送信する信号の変調方式及び符号化方法を決定することを特徴とする決定部を備えることを特徴とする請求項１０〜１３のいずれか一項に記載の基地局装置。
【請求項１５】
前記変動量に応じて補正された前記時間平均的な受信品質と、前記変動量に応じて補正されない前記時間平均的な受信品質とのいずれか一方を、前記測定条件に関する情報に応じて選択し、選択された前記一方に基づいて前記移動局装置へ送信する信号の変調方式及び符号化方法を決定することを特徴とする決定部を備えることを特徴とする請求項１２又は１３に記載の基地局装置。
【請求項１６】
基地局装置から受信した信号の時間平均的な受信品質を移動局装置で測定し、
前記基地局装置から受信した信号についてその受信品質の経時変化における少なくとも最大値によって決定される変動量を前記移動局装置で測定し、
前記時間平均的な受信品質と前記変動量を前記基地局装置へ送信する、
ことを特徴とする通信方法。
【国際調査報告】
2014181431.tif 000014
2014181431.tif 000015
2014181431.tif 000016
2014181431.tif 000017